(57)【要約】【課題】サブ基板をメイン基板に保持固定できると共に、サブ基板を取り外す作業を容易に行え、作業性に優れる基板保持具を提供することを目的とする。【解決手段】本発明の基板保持具１は、メイン基板Ｘに固定される基板固定部１３と、基板固定部１３に立設された保持部２と、保持部２に摺動自在に配設された摺動部４と、摺動部４に突設された操作レバー部７と、保持部２に揺動自在に支持された基板押し上げ部１１と、保持部２に形成された切り込み部１５と、切り込み部１５の内部に突設された爪部１６と、爪部１６の反対側に連設された上向き鉤状部９と、上向き鉤状部９の内側に形成された傾斜面部１７と、摺動部４に穿設された挿通孔部８と、を備えた構成を有する。【選択図】図１
2005317606.tif 000002
【特許請求の範囲】
【請求項１】
メイン基板の上面にサブ基板を直交させて保持固定するための基板保持具であって、
前記メイン基板に固定される基板固定部と、
前記基板固定部に立設され前記サブ基板の側部を保持する保持部と、
前記保持部の外側に沿って摺動自在に配設された摺動部と、
前記摺動部に突設された操作レバー部と、
一端部が前記摺動部の下方に位置し他端部が前記サブ基板の下方に位置するように前記保持部の下部に揺動自在に支持された基板押し上げ部と、
前記保持部に形成された略Ｕ字状の切り込み部と、
前記切り込み部の内部に前記サブ基板側に向けて突設された爪部と、
前記爪部の反対側に連設された上向き鉤状部と、
前記上向き鉤状部の内側に形成された傾斜面部と、
前記摺動部に穿設され前記上向き鉤状部が挿通する挿通孔部と、を備えたことを特徴とする基板保持具。
【請求項２】
前記保持部の上端部と前記摺動部の上端部とを連結する第１の連結部と、前記基板押し上げ部の一端部と前記摺動部の下端部とを連結する第２の連結部と、を備え、前記第１の連結部及び前記第２の連結部が湾曲した薄肉板により形成されていることを特徴とする請求項１に記載の基板保持具。
【請求項３】
前記摺動部の前記保持部側に形成された摺動ガイド部、及び／又は、前記基板押し上げ部の両側部に形成された揺動ガイド部を備えたことを特徴とする請求項１又は請求項２に記載の基板保持具。
【請求項４】
前記保持部の前記サブ基板側に形成された基板ガイド部を備えたことを特徴とする請求項１から請求項３のいずれか１に記載の基板保持具。
【請求項５】
前記基板固定部が、前記メイン基板の上面に配設されるベース部と、前記ベース部の底面に突設された断面略矢印状の底面押え部と、を備えていることを特徴とする請求項１から請求項４のいずれか１に記載の基板保持具。
【請求項６】
メイン基板と、前記メイン基板の上面に配設されたメイン側コネクタと、前記メイン基板に直交して配設されたサブ基板と、前記サブ基板の下端部に配設され前記メイン側コネクタに接続されたサブ側コネクタと、を備えた基板の取り付け構造であって、
前記サブ基板の一方の側部或いは両側部に配設された請求項１乃至５の内いずれか１項に記載の基板保持具と、前記サブ基板の一方の側部又は両側部に形成され前記基板保持具の前記爪部が係合する係合部と、を備えたことを特徴とする基板の取り付け構造。
【発明の詳細な説明】
【技術分野】
【０００１】
本発明は、メイン基板の上面にサブ基板を直交させて保持固定するための基板保持具及びそれを備えた基板の取り付け構造に関する。
【背景技術】
【０００２】
近年、構内交換機やオフィスオートメーション機器等の電子機器において、製造時に組み込まれたプリント配線板等のメイン基板に対して、増設用の基板や新たな機能を組み込むためのオプション用の基板等を適宜必要に応じて組み込むことが行われている。このような増設用の基板やオプション用の基板等（以下、サブ基板という）は、メイン基板に予め設けられたコネクタを介してメイン基板に電気的に接続される。電子機器の筐体内におけるメイン基板とサブ基板の配置構造には、主に、サブ基板をメイン基板の上部に平行に配置する構造と、サブ基板をメイン基板の上面に直交させて配置する構造がある。しかしながら、サブ基板をメイン基板の上部に平行に配置する構造では、メイン基板の上部に間隔を空けてサブ基板を固定するためにスペーサ等を介してビス止めしており、サブ基板の増設や交換作業時、或いはメンテナンス時にサブ基板を取り外すのが煩雑で作業性に欠けるという問題点があり、近年では、サブ基板をメイン基板の上面に直交させて配置する構造が広く用いられている。
【０００３】
サブ基板をメイン基板の上面に直交させて配置する構造では、サブ基板をメイン基板に保持固定するために、一般的にサブ基板の一方の側部又は両側部を保持する基板保持具をメイン基板に立設固定していた。従来の基板保持具は、サブ基板の側部をガイド部で保持すると共に、電子機器の搬送時に衝撃等があった場合にサブ基板がメイン基板から外れたり倒れたりするのを防止するために、サブ基板の側部の係合部に係合する爪部を有していた。このため、サブ基板の増設や交換作業時、或いはメンテナンス時にサブ基板を取り外す際には、爪部を係合部から外す作業を行いながらサブ基板を引き抜かなければならず、また、サブ基板のコネクタはメイン基板のコネクタに嵌合しているので、作業が煩雑になり作業性に欠けるという問題点があった。
【０００４】
このような問題点を解決するために、特許文献１には、メイン基板に対して固定される取付基台部と、取付基台部から突出しサブ基板を案内するガイド部と、ガイド部に対して揺動可能に設けられる操作部と、操作部と一体に形成され第１の位置でサブ基板と係合し第２の位置で係合を解除する係合部と、操作部と一体に形成され第１の位置でサブ基板と接触せず第１の位置から第２の位置へと揺動する際にサブ基板に当接し揺動に伴ってサブ基板をガイド部の先端側に向かって押し出す基板押出部と、を備えた基板保持具が開示されている。
【特許文献１】特開２００２−１９０６８２号公報
【発明の開示】
【発明が解決しようとする課題】
【０００５】
しかしながら上記従来の技術では、以下のような課題を有していた。
【０００６】
（１）（特許文献１）の基板保持具では、操作部を揺動させながら基板押出部に形成された傾斜部分をサブ基板の切り欠き状の被当接部の上縁部に当接させることでサブ基板を押し出しているので、サブ基板を押し出すことができる距離が極めて短くコネクタの嵌合を外すには不十分でサブ基板の取り外しの確実性に欠けるという課題を有していた。
【０００７】
（２）また、基板押出部の傾斜部分をサブ基板の被当接部の上縁部に当接させることで
サブ基板を押し出しているので、サブ基板には垂直上向きの押圧力と、それと略同一の水平方向の押圧力がかかり、サブ基板を押し出す操作のために大きな操作力を必要とし操作性に欠けると共に、サブ基板の一方の側部にのみ基板保持具を設けた場合は押し出す際にサブ基板が傾いたりメイン基板に接続するコネクタに水平方向の大きな力がかかったりするため、円滑な取り外し操作を行うことができないという課題を有していた。
【０００８】
（３）サブ基板を押し出すために基板押出部の傾斜部分が被当接部の上縁部の角に圧接されるため、この傾斜部分が変形し易く、変形するとさらに押し出すことができる距離が短くなりサブ基板の取り外しの確実性に欠けるという課題を有していた。
【０００９】
（４）操作部とガイド部とが各々と一体成形された軸部により連結され、操作部を軸部の弾性捻れにより揺動させているので、サブ基板の押し出し距離を大きくするために操作部の揺動幅を大きくすると、軸部に大きな力がかかって破損し易くなり耐久性に及び操作の安定性に欠け、或いは軸部を別部材で形成する必要があり部品点数が増加し生産性に欠けるという課題を有していた。
【００１０】
（５）サブ回路基板の側部に、係合部が係合する切り欠き状の被係合部と、切り欠き状の被当接部と、を形成する必要があり、サブ基板の加工が増加するため汎用性に欠けるという課題を有していた。
【００１１】
本発明は上記従来の課題を解決するもので、サブ基板がメイン基板から外れないように確実にロックして保持固定できると共に、操作レバー部を押す操作のみで、ロックを解除する動作とサブ基板を押し上げる動作を同時に行え、また、メイン基板からサブ基板を取り外す作業を容易に、且つコネクタの嵌合を解除するのに十分な押し上げ長さで確実に行え、サブ基板の増設や交換、或いはメンテナンス時の作業性に優れ、また一体成形で高品質なものが簡単に製作でき生産性に優れる基板保持具を提供することを目的とする。
【００１２】
また、本発明は上記従来の課題を解決するもので、サブ基板がメイン基板から外れないように確実にロックして保持固定できると共に、メイン基板からサブ基板を取り外す作業を容易に、且つコネクタの嵌合を解除するのに十分な押し上げ長さで確実に行え、サブ基板の増設や交換、或いはメンテナンス時の作業性に優れる基板の取り付け構造を提供することを目的とする。
【課題を解決するための手段】
【００１３】
上記課題を解決するために、本発明の基板保持具は、メイン基板の上面にサブ基板を直交させて保持固定するための基板保持具であって、メイン基板に固定される基板固定部と、基板固定部に立設されサブ基板の側部を保持する保持部と、保持部の外側に沿って摺動自在に配設された摺動部と、摺動部に突設された操作レバー部と、一端部が摺動部の下方に位置し他端部がサブ基板の下方に位置するように保持部の下部に揺動自在に支持された基板押し上げ部と、保持部に形成された略Ｕ字状の切り込み部と、切り込み部の内部にサブ基板側に向けて突設された爪部と、爪部の反対側に連設された上向き鉤状部と、上向き鉤状部の内側に形成された傾斜面部と、摺動部に穿設され上向き鉤状部が挿通する挿通孔部と、を備えた構成を有している。
【００１４】
これにより、サブ基板がメイン基板から外れないように確実にロックして保持固定できると共に、操作レバー部を押す操作のみで、ロックを解除する動作とサブ基板を押し上げる動作を同時に行え、また、メイン基板からサブ基板を取り外す作業を容易に、且つコネクタの嵌合を解除するのに十分な押し上げ長さで確実に行え、サブ基板の増設や交換、或いはメンテナンス時の作業性に優れ、また一体成形で高品質なものが簡単に製作でき生産性に優れる基板保持具を提供することができる。
【００１５】
上記課題を解決するために、本発明の基板の取り付け構造は、メイン基板と、メイン基板の上面に配設されたメイン側コネクタと、メイン基板に直交して配設されたサブ基板と、サブ基板の下端部に配設されメイン側コネクタに接続されたサブ側コネクタと、を備えた基板の取り付け構造であって、サブ基板の一方の側部或いは両側部に配設された基板保持具と、サブ基板の一方の側部又は両側部に形成され基板保持具の爪部が係合する係合部と、を備えた構成を有している。
【００１６】
これにより、サブ基板がメイン基板から外れないように確実にロックして保持固定できると共に、メイン基板からサブ基板を取り外す作業を容易に、且つコネクタの嵌合を解除するのに十分な押し上げ長さで確実に行え、サブ基板の増設や交換、或いはメンテナンス時の作業性に優れる基板の取り付け構造を提供することができる。
【発明の効果】
【００１７】
以上説明したように本発明の基板保持具によれば、以下のような有利な効果が得られる。
【００１８】
第１の発明によれば、
（１）操作レバー部を押す操作のみで、爪部をサブ基板の係合部から抜き出してサブ基板のロックを解除する動作と、基板押し上げ部でサブ基板を押し上げてメイン側コネクタとサブ側コネクタの嵌合を外す動作と、を同時に行えるので、メイン基板からサブ基板の取り外しを容易に行うことができる作業性に優れた基板保持具を提供することができる。
【００１９】
（２）保持部によりサブ基板の側部を保持できると共に、爪部をサブ基板の係合部に係合してロックできるので、サブ基板をメイン基板に強固に取り付け固定することができ、搬送中の衝撃等によりサブ基板がメイン基板から外れたり倒れたりすることを防止できる取り付け性に優れた基板保持具を提供することができる。
【００２０】
（３）サブ基板をメイン基板に取り付け固定する際に、爪部が係合部に係合する位置までサブ基板を下方へ移動させることより、メイン側コネクタにサブ側コネクタを確実に嵌合できるので、爪部によりコネクタの接続の確認が容易に行うことができる作業性に優れた基板保持具を提供することができる。
【００２１】
（４）操作レバー部を下方へ押圧し摺動部を下方へ摺動させることで爪部の係合を解除することができるので、基板保持具が手や指を挿入し難い狭い場所に配設されている場合であっても先端の細い工具等を用いて操作レバー部を押圧することで、サブ基板の取り外しを容易に行うことができる作業性に優れた基板保持具を提供することができる。
【００２２】
（５）保持部の下部に揺動自在に支持された基板押し上げ部を備えているので、摺動部が基板押し上げ部の一端部を押圧した長さと略同じの長さでサブ基板を押し上げることができ、メイン側コネクタとサブ側コネクタの嵌合を解除するのに十分な押し上げ長さでサブ基板を押し上げ、サブ基板の取り外しを確実に行うことができる作業の確実性及び安定性に優れた基板保持具を提供することができる。
【００２３】
（６）保持部の下端部に配設された基板固定部により基板保持具をメイン基板に強固に固定することができるので、サブ基板の側部を保持部により確実に保持することができる取り付け性に優れ保持力の高い基板保持具を提供することができる。
【００２４】
第２の発明によれば、第１の発明の効果に加え、以下の効果を有する。
【００２５】
（１）保持部と摺動部が第１の連結部で連結され、摺動部と基板押し上げ部が第２の連結部で連結されるので、基板保持具を合成樹脂等により一体成形でき、高品質なものが簡単に製作できると共に、部品の紛失を防止でき取り扱いが容易になる生産性及び取り扱い性に優れた基板保持具を提供することができる。
【００２６】
（２）第１の連結部と第２の連結部が湾曲した薄肉板により形成されているので、各々の連結部が柔軟性を有し摺動部の摺動や基板押し上げ部の揺動を阻害することなく円滑に動作させることができる基板保持具を提供することができる。
【００２７】
（３）摺動部や基板押し上げ部が動作時に保持部から離れることを防ぎ動作の安定性に優れた基板保持具を提供することができる。
【００２８】
第３の発明によれば、第１又は第２の発明の効果に加え、以下の効果を有する。
【００２９】
（１）摺動ガイド部により摺動部が保持部に沿って摺動する際に水平方向にずれることを防止でき、また、揺動ガイド部により基板押し上げ部が保持部の下部で揺動する際に水平方向にずれることを防止できるサブ基板の取り外し作業の安定性に優れた基板保持具を提供することができる。
【００３０】
第４の発明によれば、第１から第３のいずれか１の発明の効果に加え、以下の効果を有する。
【００３１】
（１）基板ガイド部を備えているので、サブ基板をメイン基板に取り付け固定する際に、サブ基板を基板ガイド部に案内させながら下方へ移動させることができ、円滑にサブ基板の取り付け作業を行うことができ、メイン側コネクタに対してサブ側コネクタを位置ずれなく確実に嵌合させることができる作業性に優れた基板保持具を提供することができる。
【００３２】
（２）サブ基板の取り付け後は基板ガイド部でサブ基板の側部を強固に保持できるので、サブ基板がメイン基板から外れたり倒れたりすることを確実に防止できる基板保持具を提供することができる。
【００３３】
第５の発明によれば、第１から第４のいずれか１の発明の効果に加え、以下の効果を有する。
【００３４】
（１）先細りの先端部側をメイン基板に形成された固定孔部に挿入して簡単に取り付け固定することができ、ベース部と底面押え部とをメイン基板の上面側と底面側に狭着させることにより、基板保持具をメイン基板に強固に固定することができる取り付け作業性に優れると共に固定強度の高い基板保持具を提供することができる。
【００３５】
第６の発明によれば、以下の効果を有する。
【００３６】
（１）サブ基板をメイン基板に取り付けた際には、基板保持具の保持部によりサブ基板の側部を保持し爪部をサブ基板の係合部に係合してロックできると共に、サブ基板の下端部とメイン基板の上面とがサブ側コネクタとメイン側コネクタの嵌合により固定されるので、サブ基板をメイン基板に強固に取り付け固定することができる基板の取り付け構造を提供することができる。
【００３７】
（２）サブ基板をメイン基板から取り外す際には、基板保持具の操作レバー部を押す操作のみで、爪部をサブ基板の係合部から抜き出してサブ基板のロックを解除する動作と、
基板押し上げ部でサブ基板を押し上げてメイン側コネクタとサブ側コネクタの嵌合を外す動作と、を同時に行え、また、基板押し上げ部によりメイン側コネクタとサブ側コネクタの嵌合を解除するのに十分な押し上げ長さでサブ基板を押し上げることができるので、サブ基板の取り外しを容易に且つ確実に行うことができる基板の取り付け構造を提供することができる。
【００３８】
（３）サブ基板の側部には基板保持具の爪部が係合する係合部を設けるだけでよく、基板保持具に対応させるためのサブ基板側の加工が少なく汎用性に優れた基板の取り付け構造を提供することができる。
【発明を実施するための最良の形態】
【００３９】
本発明は、サブ基板がメイン基板から外れないように確実にロックして保持固定できると共に、操作レバー部を押す操作のみで、ロックを解除する動作とサブ基板を押し上げる動作を同時に行え、また、メイン基板からサブ基板を取り外す作業を容易に、且つコネクタの嵌合を解除するのに十分な押し上げ長さで確実に行え、サブ基板の増設や交換、或いはメンテナンス時の作業性に優れ、また一体成形で高品質なものが簡単に製作でき生産性に優れる基板保持具を提供するという目的を、メイン基板の上面にサブ基板を直交させて保持固定するための基板保持具であって、メイン基板に固定される基板固定部と、基板固定部に立設されサブ基板の側部を保持する保持部と、保持部の外側に沿って摺動自在に配設された摺動部と、摺動部に突設された操作レバー部と、一端部が摺動部の下方に位置し他端部がサブ基板の下方に位置するように保持部の下部に揺動自在に支持された基板押し上げ部と、保持部に形成された略Ｕ字状の切り込み部と、切り込み部の内部にサブ基板側に向けて突設された爪部と、爪部の反対側に連設された上向き鉤状部と、上向き鉤状部の内側に形成された傾斜面部と、摺動部に穿設され上向き鉤状部が挿通する挿通孔部と、を備えることにより実現した。
【００４０】
また、本発明は、サブ基板がメイン基板から外れないように確実にロックして保持固定できると共に、メイン基板からサブ基板を取り外す作業を容易に、且つコネクタの嵌合を解除するのに十分な押し上げ長さで確実に行え、サブ基板の増設や交換、或いはメンテナンス時の作業性に優れる基板の取り付け構造を提供するという目的を、メイン基板と、メイン基板の上面に配設されたメイン側コネクタと、メイン基板に直交して配設されたサブ基板と、サブ基板の下端部に配設されメイン側コネクタに接続されたサブ側コネクタと、を備えた基板の取り付け構造であって、サブ基板の一方の側部或いは両側部に配設された基板保持具と、サブ基板の一方の側部又は両側部に形成され基板保持具の爪部が係合する係合部と、を備えることにより実現した。
【００４１】
上記課題を解決するためになされた第１の発明は、メイン基板の上面にサブ基板を直交させて保持固定するための基板保持具であって、メイン基板に固定される基板固定部と、基板固定部に立設されサブ基板の側部を保持する保持部と、保持部の外側に沿って摺動自在に配設された摺動部と、摺動部に突設された操作レバー部と、一端部が摺動部の下方に位置し他端部がサブ基板の下方に位置するように保持部の下部に揺動自在に支持された基板押し上げ部と、保持部に形成された略Ｕ字状の切り込み部と、切り込み部の内部にサブ基板側に向けて突設された爪部と、爪部の反対側に連設された上向き鉤状部と、上向き鉤状部の内側に形成された傾斜面部と、摺動部に穿設され上向き鉤状部が挿通する挿通孔部と、を備えた構成を有している。
【００４２】
この構成により、以下の作用を有する。
【００４３】
（１）サブ基板をメイン基板から取り外す際には、操作レバー部を下方へ押圧すると、摺動部が保持部に沿って下方へ摺動し、挿通孔部の上縁部が上向き鉤状部の傾斜面部を押
圧する。押圧された上向き鉤状部は水平方向外側へ移動し、連動して爪部がサブ基板の係合部から抜ける。また、下方へ摺動した摺動部は、下端部で基板押し上げ部の一端部を押圧し、これに連動して基板押し上げ部の他端部は上方へ移動してサブ基板の下端部に当接しサブ基板を押し上げる。
【００４４】
（２）操作レバー部を押す操作のみで、爪部をサブ基板の係合部から抜き出してサブ基板のロックを解除する動作と、基板押し上げ部でサブ基板を押し上げてメイン側コネクタとサブ側コネクタの嵌合を外す動作と、を同時に行えるので、メイン基板からサブ基板の取り外しを容易に行うことができる。
【００４５】
（３）サブ基板をメイン基板に取り付け固定する際には、サブ基板の側部を保持部の側部に当接させながら下方へ移動させ、サブ側コネクタをメイン側コネクタに嵌合すると共に、サブ基板の係合部に爪部を係合させることで、サブ基板の取り付け固定を行うことができる。
【００４６】
（４）爪部が保持部の切り込み部の内部に形成されているので、サブ基板の取り付け固定時にサブ基板の側部が爪部に当接すると、爪部は押圧され外側に向かって移動し、所定の位置で係合部に係合してサブ基板はロックをすることができる。
【００４７】
（５）保持部によりサブ基板の側部を保持できると共に、爪部をサブ基板の係合部に係合してロックできるので、サブ基板をメイン基板に強固に取り付け固定することができ、搬送中の衝撃等によりサブ基板がメイン基板から外れたり倒れたりすることを防止できる。
【００４８】
（６）サブ基板をメイン基板に取り付け固定する際に、爪部が係合部に係合する位置までサブ基板を下方へ移動させることより、メイン側コネクタにサブ側コネクタを確実に嵌合できるので、爪部によりコネクタの接続の確認が容易に行うことができる。
【００４９】
（７）操作レバー部を下方へ押圧し摺動部を下方へ摺動させることで爪部の係合を解除することができるので、基板保持具が手や指を挿入し難い狭い場所に配設されている場合であっても先端の細い工具等を用いて操作レバー部を押圧することで、サブ基板の取り外しを容易に行うことができる。
【００５０】
（８）上向き鉤状部の内側に傾斜面部を備え、摺動部に上向き鉤状部が挿通する挿通孔部を備えているので、操作レバー部を下方へ押圧し摺動部を下方へ摺動させ、挿通孔部の上縁部により傾斜面部を押圧することにより、その下向きの押圧力を水平方向の押圧力とし、上向き鉤状部を水平方向外側へ移動させることができる。
【００５１】
（９）保持部の下部に揺動自在に支持された基板押し上げ部を備えているので、摺動部が基板押し上げ部の一端部を押圧した長さと略同じの長さでサブ基板を押し上げることができ、メイン側コネクタとサブ側コネクタの嵌合を解除するのに十分な押し上げ長さでサブ基板を押し上げ、サブ基板の取り外しを確実に行うことができる。
【００５２】
（１０）保持部の下端部に配設された基板固定部により基板保持具をメイン基板に強固に固定することができるので、サブ基板の側部を保持部により確実に保持することができる。
【００５３】
ここで、保持部や摺動部、基板押し上げ部、基板固定部等の材質としては、ポリアミド樹脂やポリプロピレン（ＰＰ）等の合成樹脂や金属等を用いることができる。
【００５４】
上記課題を解決するためになされた第２の発明は、第１の発明に記載の基板保持具であって、保持部の上端部と摺動部の上端部とを連結する第１の連結部と、基板押し上げ部の一端部と摺動部の下端部とを連結する第２の連結部と、を備え、第１の連結部及び第２の連結部が湾曲した薄肉板により形成された構成を有している。
【００５５】
この構成により、第１の発明の作用に加え、以下の作用を有する。
【００５６】
（１）保持部と摺動部が第１の連結部で連結され、摺動部と基板押し上げ部が第２の連結部で連結されるので、基板保持具を合成樹脂等により一体成形でき、高品質なものが簡単に製作できると共に、部品の紛失を防止でき取り扱いが容易になる。
【００５７】
（２）第１の連結部と第２の連結部が湾曲した薄肉板により形成されているので、各々の連結部が柔軟性を有し摺動部の摺動や基板押し上げ部の揺動を阻害することなく円滑に動作させることができると共に、摺動部や基板押し上げ部が動作時に保持部から離れることを防ぎ動作の安定性に優れる。
【００５８】
ここで、保持部や摺動部、基板押し上げ部等に一体成形される第１及び第２の連結部の材質としては、上述したような合成樹脂等が用いられる。
【００５９】
上記課題を解決するためになされた第３の発明は、第１又は第２の発明に記載の基板保持具であって、摺動部の保持部側に形成された摺動ガイド部、及び／又は、基板押し上げ部の両側部に形成された揺動ガイド部を備えた構成を有している。
【００６０】
この構成により、第１又は第２の発明の作用に加え、以下の作用を有する。
【００６１】
（１）摺動ガイド部により摺動部が保持部に沿って摺動する際に水平方向にずれることを防止でき、また、揺動ガイド部により基板押し上げ部が保持部の下部で揺動する際に水平方向にずれることを防止でき、操作レバー部の操作により摺動部及び／又は基板押し上げ部が所定の方向に確実に動作するので、サブ基板の取り外し作業の安定性に優れる。
【００６２】
ここで、摺動ガイド部は、摺動部の両側部に突設された一対の突条又は突起により形成することができる。一対の摺動ガイド部間の幅は保持部の幅と略同一に形成することができる。揺動ガイド部は、基板押し上げ部の両側部から延設された鉤状に形成され、保持部の両側部を挟持して基板押し上げ部の揺動方向が所定の方向からずれないようにすることができる。
【００６３】
上記課題を解決するためになされた第４の発明は、第１から第３の発明の内いずれか１に記載の基板保持具であって、保持部のサブ基板側に形成された基板ガイド部を備えた構成を有している。
【００６４】
この構成により、第１から第３の発明の内いずれか１の作用に加え、以下の作用を有する。
【００６５】
（１）基板ガイド部を備えているので、サブ基板をメイン基板に取り付け固定する際に、サブ基板を基板ガイド部に案内させながら下方へ移動させることができ、円滑にサブ基板の取り付け作業を行うことができ、メイン側コネクタに対してサブ側コネクタを位置ずれなく確実に嵌合させることができると共に、サブ基板の取り付け後は基板ガイド部でサブ基板の側部を強固に保持できるので、サブ基板がメイン基板から外れたり倒れたりすることを確実に防止できる。
【００６６】
ここで、基板ガイド部は、保持部の両側部に突設された一対の突条又は突起により形成することができる。一対の基板ガイド部間の幅はサブ基板の幅と略同一に形成することができる。
【００６７】
上記課題を解決するためになされた第５の発明は、第１から第４の発明の内いずれか１に記載の基板保持具であって、基板固定部が、メイン基板の上面に配設されるベース部と、ベース部の底面に突設された断面略矢印状の底面押え部と、を備えた構成を有している。
【００６８】
この構成により、第１から第４の発明の内いずれか１の発明の作用に加え、以下の作用を有する。
【００６９】
（１）ベース部と底面押え部とをメイン基板の上面側と底面側に狭着させることにより、基板保持具をメイン基板に強固に固定することができる。
【００７０】
（２）底面押え部が先細りの先端部と先端部からベース部側に拡がった押え部とを有する断面矢印状に形成されているので、先細りの先端部側をメイン基板に形成された固定孔部に挿入して取り付け固定することができると共に、押え部によりメイン基板の底面を押えて抜けなくなるので、搬送時の衝撃等により基板保持具がメイン基板から外れることを防止できる。
【００７１】
上記課題を解決するためになされた第６の発明は、メイン基板と、メイン基板の上面に配設されたメイン側コネクタと、メイン基板に直交して配設されたサブ基板と、サブ基板の下端部に配設されメイン側コネクタに接続されたサブ側コネクタと、を備えた基板の取り付け構造であって、サブ基板の一方の側部或いは両側部に配設された第１から第５の発明の内いずれか１に記載の基板保持具と、サブ基板の一方の側部又は両側部に形成され基板保持具の爪部が係合する係合部と、を備えた構成を有している。
【００７２】
この構成により、第１から第５の発明の内いずれか１の作用に加え、以下の作用を有する。
【００７３】
（１）サブ基板をメイン基板に取り付けた際には、基板保持具の保持部によりサブ基板の側部を保持し爪部をサブ基板の係合部に係合してロックできると共に、サブ基板の下端部とメイン基板の上面とがサブ側コネクタとメイン側コネクタの嵌合により固定されるので、サブ基板をメイン基板に強固に取り付け固定することができる。
【００７４】
（２）サブ基板をメイン基板から取り外す際には、基板保持具の操作レバー部を押す操作のみで、爪部をサブ基板の係合部から抜き出してサブ基板のロックを解除する動作と、基板押し上げ部でサブ基板を押し上げてメイン側コネクタとサブ側コネクタの嵌合を外す動作と、を同時に行え、また、基板押し上げ部によりメイン側コネクタとサブ側コネクタの嵌合を解除するのに十分な押し上げ長さでサブ基板を押し上げることができるので、サブ基板の取り外しを容易に且つ確実に行うことができる。
【００７５】
（３）サブ基板の側部には基板保持具の爪部が係合する係合部を設けるだけでよく、基板保持具に対応させるためのサブ基板側の加工が少ないので汎用性に優れる。
【００７６】
（４）サブ基板の両側部に基板保持具を設けた場合であっても、一方の基板保持具の操作レバー部を右手のみで操作でき他方の基板保持具の操作レバーを左手のみで操作でき、サブ基板の取り外しを一人で行えるので、サブ基板の増設や交換、或いはメンテナンス時の作業性及び省力性に優れる。
【００７７】
（実施の形態１）
以下、本発明の実施の形態について、各図に基づいて説明する。図１は本実施の形態１における要部拡大図であって、図１（ａ）は本実施の形態１における基板保持具の要部斜視図であり、図１（ｂ）は本実施の形態１における基板保持具の一部透視要部斜視図であり、図１（ｃ）は図１（ａ）のＡ−Ａ線の矢視断面図である。
【００７８】
図１（ａ）において、１は本実施の形態１における基板保持具、Ｘは後述の電子機器の筐体の内部底面に取り付け固定されたメイン基板、Ｙはメイン基板Ｘの上面に直交したサブ基板、２はサブ基板Ｙの側部に沿設された保持部、３は保持部２の両側部からサブ基板Ｙ側に向けて突設された一対の基板ガイド部、４は保持部２のサブ基板Ｙの反対側の側部に沿って摺動自在に配設された摺動部、５は摺動部４の両側部から保持部２側に向けて突設された一対の摺動ガイド部、６は保持部２の上端部と摺動部４の上端部とを連結する湾曲した薄肉板状の第１の連結部、７は摺動部４に保持部２の反対側に向けて突設された操作レバー部、８は摺動部４の略中央部に穿設された挿通孔部、９は保持部２に形成された後述の略Ｕ字状の切り込み部の内部に形成され挿通孔部８に挿通された上向き鉤状部である。
【００７９】
１０は保持部２の下部に穿設された支持孔部、１１は支持孔部１０の下縁部に揺動自在に支持された板状の基板押し上げ部であり、基板押し上げ部１１の一端部は摺動部４の下方に位置し他端部はサブ基板Ｙの下方に位置している。１１ａは基板押し上げ部１１の両側部から延設された一対の鉤状の揺動ガイド部、１２は摺動部４の下端部と基板押し上げ部１１の一端部とを連結する湾曲した薄肉板状の第２の連結部、１３は保持部２をメイン基板Ｘに固定するために保持部２の下端部に配設された基板固定部、１３ａは保持部２に直交した基板固定部１３のベース部、１３ｂはベース部１３ａの底面から下方へ向けて突設された断面略矢印状の底面押え部である。
【００８０】
図１（ｂ）及び図１（ｃ）において、１１ｂは基板押し上げ部１１の下面略中央部に形成され支持孔部１０の下縁部に係合する支点溝部、１５は保持部２に形成された略Ｕ字状の切り込み部、１６は保持部２の切り込み部１５の内部にサブ基板Ｙ側に向けて突設された爪部、１６ａは爪部１６の上部に形成された爪部傾斜部、１７は上向き鉤状部９の内側に形成された傾斜面部、Ｚはサブ基板Ｙの側部に形成され爪部１６が係合する切り欠き状の係合部、Ｈはメイン基板Ｘに形成され底面押え部１３ｂが挿通固定される固定孔部である。
【００８１】
ここで、保持部２，第１の連結部６，摺動部４，第２の連結部１２，基板押し上げ部１１，及び基板固定部１３はポリアミド樹脂やＰＰ等の合成樹脂により一体成形されている。以上のように構成された本実施の形態１における基板保持具１について、以下その組み立て方法及びメイン基板Ｘへの取り付け方法を図面を用いて説明する。
【００８２】
図２は本実施の形態１における基板保持具１の組み立て方法及びメイン基板Ｘへの取り付け方法を説明する要部斜視図である。図２に示すように、まず、第１の連結部６及び第２の連結部１２を湾曲させ基板押し上げ部１１を支持孔部１０に挿通させ支点溝部１１ｂを支持孔部１０の下縁部に係合させる。これにより、基板押し上げ部１１は支持孔部１０に揺動自在に支持される。このとき、基板押し上げ部１１の両側部の一対の揺動ガイド部１１ａを保持部２の両側部に当接させる。次に、摺動部４の挿通孔部８に上向き鉤状部９を挿通させ、摺動ガイド部５の間に保持部２を嵌入し、摺動部４を保持部２に対して上下方向に摺動自在に沿設する。
【００８３】
組み立てた基板保持具１のメイン基板Ｘへの取り付ける際には、底面押え部１３ｂの先
細りの下端部側をメイン基板Ｘの固定孔部Ａに挿入する。これにより、ベース部１３ａと底面押え部１３ｂがメイン基板Ｘの上面側と底面側に狭着されメイン基板Ｘに強固に固定される。
【００８４】
次に、本実施の形態１における基板保持具１を備えた基板の取り付け構造について、以下サブ基板の取り外し動作を図面を用いて説明する。図３は基板保持具１を備えた基板の取り付け構造を有する電子機器の要部断面図である。図４は基板保持具の動作を説明する図であって、図４（ａ）はメイン基板にサブ基板を取り付けた状態を示す筐体内部の要部断面図であり、図４（ｂ）はメイン基板からサブ基板を取り外す動作を示す筐体内部の要部断面図である。
【００８５】
図中、１８はメイン基板の上面に配設されたメイン側コネクタ、１９はサブ基板の下端部に配設されたサブ側コネクタ、Ｋは内部に基板保持具１によりメイン基板Ｘにサブ基板Ｙが取り付け固定された電子機器の筐体、Ｓは筐体Ｋの内部底面にメイン基板Ｘを取り付け固定するためのスペーサである。
【００８６】
図３及び図４（ａ）に示すように、構内交換機やオフィスオートメーション機器等の電子機器の筐体Ｋの内部底面には、スペーサＳ等により底面から所定間隔を有してメイン基板Ｘが配設されている。メイン基板Ｘの上面にはサブ基板Ｙが直交して配設され、その両側部にはメイン基板Ｘに基板固定部１３で固定された基板保持具１が立設されている。サブ基板Ｙは基板保持具１の保持部２により保持されると共に、サブ基板Ｙの側部の係合部Ｚに爪部１６が係合している。さらに、サブ基板Ｙのサブ側コネクタ１９はメイン側コネクタ１８に嵌合固定されている。
【００８７】
なお、サブ基板Ｙをメイン基板Ｘに取り付け固定するには、サブ基板Ｙの側部を保持部２の基板ガイド部３に案内させながら下方へ移動させ、サブ側コネクタ１９をメイン側コネクタ１８に嵌合すると共に、サブ基板Ｙの係合部Ｚに爪部１６を係合させることで、サブ基板Ｙの取り付け固定を行うことができる。このとき、サブ基板Ｙの側部は爪部傾斜部１６ａに当接しながら爪部１６を押圧し外側に向かって移動させる。爪部１６は所定の位置で係合部Ｚに係合してサブ基板Ｙはロックされる。
【００８８】
メイン基板Ｘに取り付け固定された状態からサブ基板Ｙを取り外すには、図４（ｂ）に示すように、まず、操作レバー部７を下方（Ｂ方向）へ押圧する。これにより、一体に設けられた摺動部４が保持部２に沿って下方へ摺動し、挿通孔部８の上縁部が傾斜面部１７に当接し上向き鉤状部９を押圧する。さらに操作レバー７を押し下げると、挿通孔部８の上縁部は傾斜面部１７に沿って下方へ移動する。このとき、上向き鉤状部９は保持部２の略Ｕ字状の切り込み部１５の内部に形成されているので、挿通孔部８の上縁部の移動に伴って切り込み部１５の内部が弾性変形し、上向き鉤状部９は水平方向外側へ移動すると共に、一体に形成された爪部１６が連動して水平方向外側（Ｃ方向）へ移動しサブ基板Ｙの係合部Ｚから抜ける。
【００８９】
また、操作レバー部７の押圧により、摺動部４の下端部は基板押し上げ部１１の一端部を押圧し、これに連動して基板押し上げ部１１の他端部が上方（Ｄ方向）へ移動してサブ基板Ｙの下端部に当接しサブ基板Ｙを押し上げると共に、メイン側コネクタ１８からサブ側コネクタ１９を抜き出す。
【００９０】
このように、操作レバー部７をＢ方向へ押圧することにより、爪部１６をＣ方向へ移動させて係合部Ｚから抜き出してサブ基板Ｙのロックを解除する動作と、基板押し上げ部１１の他端部をＤ方向に移動させてサブ基板Ｙを押し上げてメイン側コネクタ１８とサブ側コネクタ１９の嵌合を外す動作と、を同時に行い、メイン基板Ｘからサブ基板Ｙの取り外
しを行うことができる。なお、図３に示すように、サブ基板Ｙの両側部に基板保持具１を設けた場合は、各々の基板保持具１の操作レバー部７を同時に押圧することによりサブ基板Ｙの取り外しを行うことができる。
【００９１】
以上のように本実施の形態１における基板保持具１及びそれを備えた基板の取り付け構造は構成されているので、以下のような作用を有する。
【００９２】
（１）操作レバー部７を押す操作のみで、サブ基板Ｙのロックを解除すると共に、メイン側コネクタ１８とサブ側コネクタ１９の嵌合を外すことができるので、メイン基板Ｘからサブ基板Ｙの取り外しを容易に行うことができる。
【００９３】
（２）保持部２によりサブ基板Ｙの側部を保持できると共に、爪部１６をサブ基板Ｙの係合部Ｚに係合してロックできるので、サブ基板Ｙをメイン基板Ｘに強固に取り付け固定することができ、搬送中の衝撃等によりサブ基板Ｙがメイン基板Ｘから外れたり倒れたりすることを防止できる。
【００９４】
（３）保持部２の下部に揺動自在に支持された基板押し上げ部１１を備えているので、摺動部４が基板押し上げ部１１の一端部を押圧した長さと略同じの長さでサブ基板Ｙを押し上げることができ、メイン側コネクタ１８とサブ側コネクタ１９の嵌合を解除するのに十分な押し上げ長さでサブ基板Ｙを押し上げ、サブ基板Ｙの取り外しを確実に行うことができる。
【００９５】
（４）保持部２の下端部に配設された基板固定部１３により基板保持具１をメイン基板Ｘに強固に固定することができるので、サブ基板Ｙの側部を保持部２により確実に保持することができる。
【００９６】
（５）保持部２と摺動部４が第１の連結部６で連結され、摺動部４と基板押し上げ部１１が第２の連結部１２で連結されるので、基板保持具１を合成樹脂等により一体成形でき、高品質なものが簡単に製作できると共に、部品の紛失を防止でき取り扱いが容易になる。
【００９７】
（６）摺動ガイド部５により摺動部４が保持部２に沿って摺動する際に水平方向にずれることを防止でき、また、揺動ガイド部１１ａにより基板押し上げ部１１が保持部２の下部で揺動する際に水平方向にずれることを防止でき、操作レバー部７の操作により摺動部４及び基板押し上げ部１１が所定の方向に確実に動作するので、サブ基板Ｙの取り外し作業を確実に行うことができる。
【００９８】
（７）基板ガイド部３を備えているので、サブ基板Ｙをメイン基板Ｘに取り付け固定する際に、サブ基板Ｙを基板ガイド部３に案内させながら下方へ移動させることができ、円滑にサブ基板Ｙの取り付け作業を行うことができ、メイン側コネクタ１８に対してサブ側コネクタ１９を位置ずれなく確実に嵌合させることができると共に、サブ基板Ｙの取り付け後は基板ガイド部３でサブ基板Ｙの側部を強固に保持できるので、サブ基板Ｙがメイン基板Ｘから外れたり倒れたりすることを確実に防止できる。
【産業上の利用可能性】
【００９９】
本発明は、メイン基板の上面にサブ基板を直交させて保持固定するための基板保持具に関し、特に本発明によれば、サブ基板がメイン基板から外れないように確実にロックして保持固定できると共に、操作レバー部を押す操作のみで、ロックを解除する動作とサブ基板を押し上げる動作を同時に行え、また、メイン基板からサブ基板を取り外す作業を容易に、且つコネクタの嵌合を解除するのに十分な押し上げ長さで確実に行え、サブ基板の増
設や交換、或いはメンテナンス時の作業性に優れ、また一体成形で高品質なものが簡単に製作でき生産性に優れる基板保持具を提供することができる。
【０１００】
また、本発明は、メイン基板の上面にサブ基板を直交させて保持固定するための基板保持具を備えた基板の取り付け構造に関し、特に本発明によれば、サブ基板がメイン基板から外れないように確実にロックして保持固定できると共に、メイン基板からサブ基板を取り外す作業を容易に、且つコネクタの嵌合を解除するのに十分な押し上げ長さで確実に行え、サブ基板の増設や交換、或いはメンテナンス時の作業性に優れる基板の取り付け構造を提供することができる。
【図面の簡単な説明】
【０１０１】
【図１】本実施の形態１における要部拡大図
【図２】本実施の形態１における基板保持具の組み立て方法及びメイン基板への取り付け方法を説明する要部斜視図
【図３】基板保持具を備えた基板の取り付け構造を有する電子機器の要部断面図
【図４】基板保持具の動作を説明する図
【符号の説明】
【０１０２】
１    基板保持具
２    保持部
３    基板ガイド部
４    摺動部
５    摺動ガイド部
６    第１の連結部
７    操作レバー部
８    挿通孔部
９    上向き鉤状部
１０    支持孔部
１１    基板押し上げ部
１１ａ    揺動ガイド部
１１ｂ    支点溝部
１２    第２の連結部
１３    基板固定部
１３ａ    ベース部
１３ｂ    底面押え部
１５    切り込み部
１６    爪部
１６ａ    爪部傾斜部
１７    傾斜面部
１８    メイン側コネクタ
１９    サブ側コネクタ
Ｘ    メイン基板
Ｙ    サブ基板
Ｚ    係合部
Ａ    固定孔部
Ｋ    筐体
Ｓ    スペーサ
【図１】
2005317606.tif 000003
【図２】
2005317606.tif 000004
【図３】
2005317606.tif 000005
【図４】
2005317606.tif 000006